(57)【要約】【課題】偏平な部分を有する電線保護部材を、配設スペースに合わせて容易に配設できるようにすることを目的とする。【解決手段】電線保護部材３０は、複数の偏平管部３２、３４と、前記複数の偏平管部３２、３４の間に設けられた少なくとも１つの蛇腹管部４０とを備える。複数の偏平管部３２、３４は、複数の偏平管部３２、３４と少なくとも１つの蛇腹管部４０とが直線状に並ぶ状態でその中心軸方向に沿って見て、幅方向が交差する位置関係に配設される第１偏平管部３２と第２偏平管部３４とを含む。【選択図】図１
2017200353.tif 000002
【特許請求の範囲】
【請求項１】
複数の偏平管部と、
前記複数の偏平管部の間に設けられた少なくとも１つの蛇腹管部と、
を備え、
前記複数の偏平管部は、前記複数の偏平管部と前記少なくとも１つの蛇腹管部とが直線状に並ぶ状態でその中心軸方向に沿って見て、幅方向が交差する位置関係に配設される第１偏平管部と第２偏平管部とを含む、電線保護部材。
【請求項２】
請求項１に記載の電線保護部材であって、
前記第１偏平管部の幅方向と前記第２偏平管部の幅方向とは、前記第１偏平管部と前記第２偏平管部とその間の前記蛇腹管部とが直線状に並ぶ状態でその中心軸方向に沿って見て、直交する位置関係に設定される、電線保護部材。
【請求項３】
請求項１又は請求項２に記載の電線保護部材であって、
前記少なくとも１つの蛇腹管部のうち前記第１偏平管部と前記第２偏平管部との間に配設されるものは、断面円形状に形成された部分を含む、電線保護部材。
【請求項４】
請求項１から請求項３のいずれか１項に記載の電線保護部材であって、
前記第１偏平管部及び前記第２偏平管部は、直線状に延びる直線管部に形成されている、電線保護部材。
【請求項５】
請求項１から請求項４のいずれか１項に記載の電線保護部材と、
前記電線保護部材内に挿通されたワイヤーハーネスと、
を備えるワイヤーハーネスモジュール。
【発明の詳細な説明】
【技術分野】
【０００１】
この発明は、車両等に組込まれる電線を保護する技術に関する。
【背景技術】
【０００２】
特許文献１は、可撓管部と非可撓管部とが交互に連続するように形成された外装部材を開示している。また、低背化のためには、外装部材の断面形状を平型にすることが有効であることが記載されている。このため、特許文献１に開示の外装部材の断面形状は、その延在方向全体において、同一方向に偏平な方形状を呈している。
【先行技術文献】
【特許文献】
【０００３】
【特許文献１】特開２０１４−１２８０５０号公報
【発明の概要】
【発明が解決しようとする課題】
【０００４】
特許文献１に開示の技術によると、可撓管部で曲げることで、外装部材が車両における所定の配線経路に沿って配設される。しかしながら、可撓管部を３次元的に曲げた場合等には、その両端の非可撓管部が相対的に捩れてしまう。このため、一方の非可撓管部を、その高さ寸法が小さくなるように配設しても、他方の非可撓管部はこれに対して捩れてしまい、その高さ寸法を小さくするように配設することが困難になる恐れがある。
【０００５】
そこで、本発明は、偏平な部分を有する電線保護部材を、配設スペースに合わせて容易に配設できるようにすることを目的とする。
【課題を解決するための手段】
【０００６】
上記課題を解決するため、第１の態様に係る電線保護部材は、複数の偏平管部と、前記複数の偏平管部の間に設けられた少なくとも１つの蛇腹管部と、を備え、前記複数の偏平管部は、前記複数の偏平管部と前記少なくとも１つの蛇腹管部とが直線状に並ぶ状態でその中心軸方向に沿って見て、幅方向が交差する位置関係に配設される第１偏平管部と第２偏平管部とを含むものである。
【０００７】
第２の態様は、第１の態様に係る電線保護部材であって、前記第１偏平管部の幅方向と前記第２偏平管部の幅方向とは、前記第１偏平管部と前記第２偏平管部とその間の前記蛇腹管部とが直線状に並ぶ状態でその中心軸方向に沿って見て、直交する位置関係に設定されるものである。
【０００８】
第３の態様は、第１又は第２の態様に係る電線保護部材であって、前記少なくとも１つの蛇腹管部のうち前記第１偏平管部と前記第２偏平管部との間に配設されるものは、断面円形状に形成された部分を含むものである。
【０００９】
第４の態様は、第１から第３のいずれか１つの態様に係る電線保護部材であって、前記第１偏平管部及び前記第２偏平管部は、直線状に延びる直線管部に形成されているものである。
【００１０】
第５の態様に係るワイヤーハーネスモジュールは、第１から第４のいずれか１つの態様に係る電線保護部材と、前記電線保護部材内に挿通されたワイヤーハーネスとを備える。
【発明の効果】
【００１１】
第１から第５の態様によると、複数の偏平管部は、複数の偏平管部と少なくとも１つの蛇腹管部とが直線状に並ぶ状態でその中心軸方向に沿って見て、幅方向が交差する位置関係に配設される第１偏平管部と第２偏平管部とを含むため、蛇腹管部を３次元的に曲げて配設した場合等に、第１偏平管部と第２偏平管部との幅方向を配設スペース等に合わせて容易に配設できる。
【００１２】
第２の態様によると、第１偏平管部と第２偏平管部とをそれらの延在方向が直交しかつ高さ違いに配設するような場合に、第１偏平管部と第２偏平管部とをなるべく低くして容易に配設できる。
【００１３】
第３の態様によると、蛇腹管部は、断面円形状に形成された部分を含むため、ねじれ変形させ易い。このため、第１偏平管部と第２偏平管部との幅方向を配設スペース等に合わせてより容易に配設できる。
【００１４】
第４の態様によると、第１偏平管部及び第２偏平管部によって、電線を直線状の経路に沿って維持できる。
【図面の簡単な説明】
【００１５】
【図１】実施形態に係るワイヤーハーネスモジュールを示す概略斜視図である。
【図２】図１のＩＩ−ＩＩ線概略断面図である。
【図３】図１のＩＩＩ-ＩＩＩ線概略断面図である。
【図４】図１のＩＶ−ＩＶ線概略断面図である。
【図５】ワイヤーハーネスモジュールを車両に組付ける一例を示す説明図である。
【図６】変形例に係る電線保護部材を示す側面図である。
【図７】変形例に係る電線保護部材を示す平面図である。
【発明を実施するための形態】
【００１６】
以下、実施形態に係る電線保護部材及びワイヤーハーネスモジュールについて説明する。図１はワイヤーハーネスモジュール１０を示す概略斜視図であり、図２は図１のＩＩ−ＩＩ線概略断面図であり、図３は図１のＩＩＩ-ＩＩＩ線概略断面図であり、図４は図１のＩＶ−ＩＶ線概略断面図である。
【００１７】
ワイヤーハーネスモジュール１０は、ワイヤーハーネス２２と、電線保護部材３０とを備える。
【００１８】
ワイヤーハーネス２２は、複数の電線２４が束ねられた構成とされている。ここでは、電線保護部材３０は、ワイヤーハーネス２２のうち１本に束ねられた部分を保護する。ワイヤーハーネス２２は、電線保護部材３０に収容された部分又はその外側で分岐していてもよい。ワイヤーハーネス２２が電線保護部材３０内で分岐する場合、当該分岐線は、電線保護部材３０に形成された孔、切欠き、スリット等を通じて外部に引出される。ワイヤーハーネス２２には、光ケーブル等が含まれていてもよい。通常、ワイヤーハーネス２２の各端部には、コネクタが取付けられ、本ワイヤーハーネス２２は、当該コネクタを通じて他の電気部品等にコネクタ接続される。
【００１９】
電線保護部材３０は、樹脂等で一体成型された部材であり、複数の偏平管部３２、３４と、蛇腹管部４０とを備える。かかる筒形状が連続する電線保護部材３０は、例えば、軟化した樹脂を筒形状に押出し、これを循環回転する金型にて所望の筒形状にバキューム形成等することで、製造することができる。
【００２０】
ここでは、電線保護部材３０は、複数の偏平管部３２、３４として、第１偏平管部３２と第２偏平管部３４とを備えており、これらの第１偏平管部３２と第２偏平管部３４との間に、蛇腹管部４０が設けられている。なお、第１偏平管部３２又は第２偏平管部３４の外側の端部に蛇腹管部が設けられてもよく、また、その蛇腹管部の外側に別の偏平管部が設けられてもよい。つまり、電線保護部材は、偏平管部、蛇腹管部をより多数備えていてもよい。
【００２１】
複数の偏平管部３２、３４は、偏平な筒形状に形成された部分である。第１偏平管部３２は、その延在方向に対して直交する断面形状が一方向に長い長方形を呈する筒形状に形成されている。第２偏平管部３４も、その延在方向に対して直交する断面形状が一方向に長い長方形を呈する筒形状に形成されている。ここで、第１偏平管部３２及び第２偏平管部３４を前記断面形状で観察した場合において、最も長くなる方向（つまり、長辺方向）を幅方向といい、最も短くなる方向（つまり、短辺方向）を高さ方向ということにする。
【００２２】
ここでは、第１偏平管部３２の断面形状と第２偏平管部３４の断面形状とは同じに形成されているが、必ずしもその必要はない。第１偏平管部３２の断面形状における幅高さの比と、第２偏平管部３４の断面形状における幅高さの比とは異なっていてもよい。また、第１偏平管部３２の断面形状と第２偏平管部３４の断面形状は、必ずしも長方形状である必要は無い。第１偏平管部の断面形状と第２偏平管部の断面形状は、長方形状の角を丸めた形状、楕円形状、偏平な三角形状等であってもよい。これらの場合においても、第１偏平管部の断面形状と第２偏平管部の断面形状とは同じ形状である必要は無い。要するに、第１偏平管部の断面形状と第２偏平管部の断面形状を観察した場合において、ある方向における寸法が他方向における寸法よりも短くて偏平となっていればよく、この場合において、第１偏平管部と第２偏平管部とが同じ形状である必要は無い。第１偏平管部３２及び第２偏平管部３４が偏平な形状に形成されているため、本ワイヤーハーネスモジュール１０を車両に組み付ける際に、第１偏平管部３２及び第２偏平管部３４を幅狭な配設スペースに配設し易い。
【００２３】
また、第１偏平管部３２、第２偏平管部３４及び蛇腹管部４０が直線状に並ぶように配設された状態でその中心軸方向に沿って見て、第１偏平管部３２の幅方向Ａ１と、第２偏平管部３４の幅方向Ａ２とが交差する位置関係に配設される。換言すると、第１偏平管部３２、第２偏平管部３４及び蛇腹管部４０が直線状に並ぶように配設された状態で、その中心軸周りに対して、第１偏平管部３２の幅方向Ａ１が延在する角度と、第２偏平管部３４の幅方向Ａ２が延在する角度とは異なっている。
【００２４】
ここでは、第１偏平管部３２の幅方向Ａ１と第２偏平管部３４の幅方向Ａ２とは、それらとそれらの間の蛇腹管部４０とが直線状に並ぶ状態でその中心軸方向に沿って見ると、直交する位置関係に設定される。
【００２５】
また、第１偏平管部３２及び第２偏平管部３４は、直線状に延びる直線管部形状に形成されている。ここでは、第１偏平管部３２及び第２偏平管部３４は、同一断面形状部分がその延在方向に沿って連続する筒形状に形成されている。ここで、第１偏平管部３２及び第２偏平管部３４が直線状に延びる直線管部形状に形成されているとは、上記蛇腹管部４０よりも曲り難く、従って、直線状態を維持するように形成されていることをいう。従って、第１偏平管部及び第２偏平管部に、他の外装部材取付目的等で凹凸形状が形成されている場合であっても、当該第１偏平管部及び第２偏平管部は直線管部形状に形成されている場合に含まれる。
【００２６】
蛇腹管部４０は、太環状部４２と細環状部４４とが交互に連なる筒形状に形成されている。かかる蛇腹管部４０は、太環状部４２と細環状部４４との間の角部分等で容易に曲がることができ、従って、蛇腹管部４０は、全体として容易に曲がることができる。ここでは、蛇腹管部４０の延在方向に直交する断面形状は、円状に形成されているが、その他、楕円状、多角形状等に形成されていてもよい。
【００２７】
もっとも、蛇腹管部４０は、断面円形状に形成された部分を含むことが好ましい。これにより、蛇腹管部４０が容易にねじれ変形することが可能となり、第１偏平管部３２の幅方向に対して第２偏平管部３４の幅方向が所望の位置関係となるように調整することが容易となるからである。蛇腹管部の延在方向中間部が部分的に断面円形状に形成されている場合、蛇腹管部の両端に向けて徐々に偏平となり、その両端側の第１偏平管部３２又は第２偏平管部３４の偏平形状に近づくようにすることがこのましい。
【００２８】
また、太環状部と細環状部とは、螺旋を描いていてもよい。
【００２９】
また、電線保護部材３０には、その内部にワイヤーハーネス２２を挿入するためのスリット３１が形成されている。ここでは、電線保護部材３０の延在方向に沿って１本のスリット３１が形成されている。スリット３１は、電線保護部材３０の周りで螺旋を描いていてもよい。また、スリット３１は、形成されていなくてもよい。
【００３０】
そして、ワイヤーハーネス２２が上記スリット３１を通じて電線保護部材３０内に挿通される。この状態で、電線保護部材３０の端部と当該端部から延出するワイヤーハーネス２２の部分に、粘着テープ等が巻回される。これにより、ワイヤーハーネス２２が電線保護部材３０によって保護される。また、電線保護部材３０の延在方向中間部においても粘着テープ等が巻回され、これにより、スリット３１が閉じた状態が維持される。スリット３１が省略される場合、ワイヤーハーネス２２は、例えば、電線保護部材３０の一端側開口から挿通される。
【００３１】
ワイヤーハーネスモジュール１０を車両に組付ける一例について図５を参照して説明する。
【００３２】
同図に示すように、あるパネル８０上に筺状部品８２が取付けられており、パネル８０上に第１偏平管部３２が配設されると共に、筺状部品８２上に第２偏平管部３４が配設される態様で、ワイヤーハーネスモジュール１０が組み付けられるとする。
【００３３】
この場合、第１偏平管部３２は、その幅方向をパネル８０に沿わせた状態で、パネル８０上に固定される。第１偏平管部３２の固定は、一般的に用いられるバンド付クランプ、ネジ止等によって行うことができる。
【００３４】
第２偏平管部３４は、筺状部品８２上に固定されるが、そのためには、蛇腹管部４０を３次元的に曲げる必要がある。
【００３５】
ここでは、パネル８０上に固定された第１偏平管部３２に対して、第２偏平管部３４を上方に持ち上げる（矢符Ｐ１参照）。この状態では、第２偏平管部３４の延在方向は、パネル８０に対して直交する姿勢となり、また、第２偏平管部３４の幅方向は、第１偏平管部３２の延在方向に沿った状態となっている。
【００３６】
上記状態から、さらに、第２偏平管部３４を寝かせるようにして筺状部品８２上に重ね、第２偏平管部３４の延在方向がパネル８０に対して平行になるようにする（矢符Ｐ２参照）。すると、蛇腹管部４０は、３次元的に曲げられた形状となり、第２偏平管部３４は、自然と、その延在方向が第１偏平管部３２の延在方向に対して直交すると共に、その幅方向が第２偏平管部３４の延在方向に沿った姿勢となる。
【００３７】
そして、上記第２偏平管部３４を、バンド付クランプ、ネジ止等によって、筺状部品８２に固定すると、ワイヤーハーネスモジュール１０が車両に組付けられる。上記第１偏平管部３２及び第２偏平管部３４は、パネル８０に対して直交する方向において偏平であるため、パネル８０の上の空間が制約される場合等でも、本ワイヤーハーネスモジュール１０を省スペースで組付けることができる。
【００３８】
以上のように構成された電線保護部材３０及びワイヤーハーネスモジュール１０によると、複数の偏平管部３２、３４は、複数の偏平管部３２、３４及び蛇腹管部４０が直線状に並ぶ状態でその中心軸方向に沿って見て、第１偏平管部３２の幅方向Ａ１と第２偏平管部３４の幅方向Ａ２とが交差する位置関係に配設されるため、蛇腹管部４０を３次元的に曲げた場合等に、蛇腹管部４０を無理に大きく捻らなくても、第１偏平管部３２の幅方向Ａ１と第２偏平管部３４の幅方向Ａ２を、配設スペース等に合わせて容易に配設することができる。
【００３９】
特に、第１偏平管部３２の幅方向Ａ１と第２偏平管部３４の幅方向Ａ２とが、それら及び蛇腹管部４０の中心軸周りに直交する位置関係にある場合、上記のように、第１偏平管部３２の延在方向と第２偏平管部３４の延在方向と直交させ、かつ、異なる高さ位置に配設するような場合において、第１偏平管部３２及び第２偏平管部３４を自然な姿勢で容易に配設することができる。
【００４０】
もっとも、第１偏平管部３２の幅方向Ａ１と第２偏平管部３４の幅方向Ａ２とが、それら及び蛇腹管部４０の中心軸周りになす角度は、第１偏平管部３２と第２偏平管部３４との位置関係等に応じて適宜調整されることがこのましい。
【００４１】
また、蛇腹管部４０が断面円形状部分を含むと、蛇腹管部４０がねじれ変形し易くなるため、第１偏平管部３２の幅方向Ａ１と第２偏平管部３４の幅方向Ａ２とを適宜傾き修正等しつつ配設スペース等に合わせて容易に調整して配設することができる。
【００４２】
また、第１偏平管部３２及び第２偏平管部３４が直線管部形状に形成されていると、内部の電線２４の直線状の経路に沿って維持することができる。
【００４３】
｛変形例｝
なお、第１偏平管部及び第２偏平管部が直線管部形状に形成されていることは必須ではなく、図６及び図７に示す変形例のように、第１偏平管部３２に対応する第１偏平管部１３２が太い断面形状部分１３２ａと細い断面形状部分１３２ｂとが交互に連なる、偏平な蛇腹形状等に形成されていてもよい。また、第２偏平管部３４に対応する第２偏平管部１３４も、太い断面形状部分１３４ａと細い断面形状部分１３４ｂとが交互に連なる、偏平な蛇腹形状等に形成されていてもよい。
【００４４】
なお、上記実施形態及び各変形例で説明した各構成は、相互に矛盾しない限り適宜組合わせることができる。例えば、蛇腹管部の一端部には直線管部形状の偏平管部が形成され、他端部には蛇腹形状の偏平管部が形成されてもよい。
【００４５】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００４６】
１０    ワイヤーハーネスモジュール
２２    ワイヤーハーネス
３０    電線保護部材
３２、１３２    第１偏平管部
３４、１３４    第２偏平管部
４０    蛇腹管部
【図１】
2017200353.tif 000003
【図２】
2017200353.tif 000004
【図３】
2017200353.tif 000005
【図４】
2017200353.tif 000006
【図５】
2017200353.tif 000007
【図６】
2017200353.tif 000008
【図７】
2017200353.tif 000009